(57)【要約】      （修正有）【課題】スライドレール機構及びその支持アセンブリを提供する。【解決手段】スライドレール機構はスライドレールアセンブリ２２及び支持アセンブリ２６を含む。スライドレールアセンブリは第１のレール２８と、第２のレール３０と、該第１のレール及び該第２のレールの間に可動に取り付けられる第３のレール３２とを含む。第２のレールは第１のレールに対して可動である。第２のレールは取り付け装置４４を備える。支持アセンブリは支持部材４７と、支持部材に配置される接続装置４８とを含む。接続装置は取り付け装置４４に接続されるように構成されている。【選択図】図２
2020131003.tif 000002
【特許請求の範囲】
【請求項１】
第１のレールと、第２のレールと、該第１のレール及び該第２のレールの間に可動に取り付けられる第３のレールとを含む第１のスライドレールアセンブリであって、該第２のレールは該第１のレールに対して長手方向に移動可能であり、該第１のスライドレールアセンブリの第２のレールは第１の取り付け装置を備える、第１のスライドレールアセンブリと、
支持部材と、該支持部材に配置される第１の接続装置とを含む支持アセンブリであって、該第１の接続装置は前記第１の取り付け装置に接続されるように構成されている、支持アセンブリと、
を含むスライドレール機構。
【請求項２】
第２のスライドレールアセンブリをさらに含み、
前記第２のスライドレールアセンブリは第１のレールと、第２のレールと、前記第２のスライドレールアセンブリの第１のレール及び第２のレールの間に可動に取り付けられる第３のレールとを含み、前記第２のスライドレールアセンブリの第２のレールは第２の取り付け装置を備え、前記支持部材は第２の接続装置をさらに備え、
前記第１の接続装置及び前記第２の接続装置は前記第１の取り付け装置及び前記第２の取り付け装置にそれぞれ取り外し可能に接続されるように構成されている、請求項１に記載のスライドレール機構。
【請求項３】
前記支持部材は、前記第１のスライドレールアセンブリ及び前記第２のスライドレールアセンブリのそれぞれの長手方向に対して実質的に横方向に配置され、前記第１の接続装置及び前記第２の接続装置は前記支持部材の２つの部分の端部にそれぞれ隣接して配置され、
前記第１の取り付け装置及び前記第１の接続装置のうちの一方は少なくとも１つの係合部位を含み、前記第１の取り付け装置及び前記第１の接続装置のうちの他方は該少なくとも１つの係合部位と係合するように構成された係合部材を含む、請求項２に記載のスライドレール機構。
【請求項４】
前記少なくとも１つの係合部位は第１の係合部位、第２の係合部位及び第３の係合部位を含み、
前記係合部材は前記第１の係合部位、前記第２の係合部位及び前記第３の係合部位のうちの１つと選択的に係合するように構成された係合部を含み、
前記第１の係合部位、前記第２の係合部位及び前記第３の係合部位は前記第１のスライドレールアセンブリ及び前記第２のスライドレールアセンブリのそれぞれの長手方向に沿って互いに離間されている、請求項３に記載のスライドレール機構。
【請求項５】
接続ベースをさらに含み、
前記係合部材は操作部及び接続部をさらに含み、該接続部は該操作部と前記係合部との間に位置し、該接続部は前記接続ベースに接続され、
前記接続部は前記接続ベースに固定接続され、
前記操作部は前記係合部から延び、前記操作部は、前記接続部が支持点として機能して前記係合部に対して傾斜し、
前記操作部が押された場合、前記係合部は前記第１の係合部位、前記第２の係合部位及び前記第３の係合部位のうちの１つから外れるように構成され、
前記接続ベースは孔を有し、前記係合部材の係合部は該孔に対応する位置に位置する、請求項４に記載のスライドレール機構。
【請求項６】
取り付けベースをさらに含み、
前記取り付けベースは前記少なくとも１つの係合部位を含み、
前記接続ベースはガイド通路を通じて前記取り付けベースに可動に取り付けられ、
前記取り付けベース及び前記接続ベースのうちの一方は第１の屈曲壁と、第２の屈曲壁と、該第１の屈曲壁及び該第２の屈曲壁の間に接続される側壁とを含み、前記ガイド通路は該第１の屈曲壁、該第２の屈曲壁及び該側壁によって定義される、請求項５に記載のスライドレール機構。
【請求項７】
第１の取り付け装置及び第２の取り付け装置に適用可能な支持アセンブリであって、当該支持アセンブリは、
互いに反対側にある第１の部分及び第２の部分を有する支持部材と、
前記第１の部分に隣接して配置されるとともに、前記第１の取り付け装置と係合するように構成された第１の接続装置と、
前記第２の部分に隣接して配置されるとともに、前記第２の取り付け装置と係合するように構成された第２の接続装置と、
を含む、支持アセンブリ。
【請求項８】
前記第１の取り付け装置及び前記第１の接続装置のうちの一方は少なくとも１つの係合部位を含み、前記第１の取り付け装置及び前記第１の接続装置のうちの他方は係合部材を含み、
前記係合部材は前記少なくとも１つの係合部位に係合するように構成された係合部を含み、
前記支持部材は前部と、後部と、該前部及び該後部の間に位置する中間部とを含み、該中間部は少なくとも１つのケーブル管理部を備える、請求項７に記載の支持アセンブリ。
【請求項９】
接続ベースをさらに含み、
前記係合部材は操作部及び接続部をさらに含み、該接続部は該操作部と前記係合部との間に位置し、該接続部は前記接続ベースに接続され、
前記接続部は前記接続ベースに固定接続され、
前記操作部は前記係合部から延び、前記操作部は、前記接続部が支持点として機能して前記係合部に対して傾斜し、
前記操作部が押された場合、前記係合部は前記少なくとも１つの係合部位のうちの１つから外れるように構成され、
前記接続ベースは孔を有し、前記係合部材の係合部は該孔に対応する位置に位置する、請求項８に記載の支持アセンブリ。
【請求項１０】
取り付けベースをさらに含み、
前記取り付けベースは前記少なくとも１つの係合部位を含み、
前記接続ベースはガイド通路を通じて前記取り付けベースに可動に取り付けられ、
前記取り付けベース及び前記接続ベースのうちの一方は第１の屈曲壁と、第２の屈曲壁と、該第１の屈曲壁及び該第２の屈曲壁の間に接続される側壁とを含み、前記ガイド通路は該第１の屈曲壁、該第２の屈曲壁及び該側壁によって定義される、請求項９に記載の支持アセンブリ。
【発明の詳細な説明】
【技術分野】
【０００１】
本発明はスライドレール機構に関し、より具体的にはスライドレール機構及びその支持アセンブリに関する。
【背景技術】
【０００２】
一般に、ラックシステムにおいて、ラックに取り付けられる一対のスライドレールアセンブリは保持物体を保持するように通常構成される。保持物体は電子機器であり得る。したがって、ラックシステムは電子機器の後ろのケーブルを支持するためにケーブル管理機構も備える。
【０００３】
特許文献１には一対の３部構成（three-section）のスライドレールアセンブリが開示されている。スライドレールアセンブリのうちの一方はケーブル管理機構を備える。ケーブル管理機構は、お互いに対して枢結された２つのケーブル管理アームを有する。ケーブル管理アームのうちの一方は外側レール（例えば、固定レール）に接続される一端を有し、ケーブル管理アームのうちの他方は可動レール（例えば、内側レール）に接続される一端を有する。さらに、支持レールはケーブル管理機構の底部を支持するように構成されている。支持レールの２つの端部のうちの一方は、支持レールを中間レールと共に動かすことができるようにスライドレールアセンブリの中間レールに接続される（特許文献１の図１４及び図１５を参照されたい）。
【０００４】
特許文献２には一対の３部構成のスライドレールアセンブリが開示されている。スライドレールアセンブリのうちの一方はケーブル管理機構を備える。ケーブル管理機構は、お互いに対して枢結された２つのケーブル管理アームを有する。ケーブル管理アームのうちの一方は外側レール（例えば、固定レール）に接続される一端を有し、ケーブル管理アームのうちの他方は可動レール（例えば、内側レール）に接続される一端を有する。さらに、支持レールはケーブル管理機構の底部を支持するように構成されている。支持レールの２つの端部はそれぞれ一対のスライドレールアセンブリの外側レール（例えは、固定レール）の通路に可動に取り付けられる。第２のレール（中間レール）の動きに対応して２つのケーブル管理アームが駆動され伸長すると、それに対応して支持レールも駆動される（特許文献２の図３を参照されたい）。
【０００５】
特許文献３には一対のスライドレールアセンブリが開示されている。スライドレールアセンブリのうちの一方はケーブル管理機構を備える。ケーブル管理機構は、お互いに対して枢結された２つのケーブル管理アームを有する。ケーブル管理アームのうちの一方は外側レール（例えば、固定レール）に接続される一端を有し、ケーブル管理アームのうちの他方は可動レール（例えば内側レール）に接続される一端を有する。さらに、支持レールはケーブル管理機構の底部を支持するように構成されている。支持レールの２つの端部は外側レール（例えば外側レール）の通路に可動に取り付けられる（特許文献３の図４及び図５を参照されたい）。
【先行技術文献】
【特許文献】
【０００６】
【特許文献１】米国特許第７５５４８１９号明細書
【特許文献２】米国特許第７７１２６１５号明細書
【特許文献３】米国特許第７４７２７９５号明細書
【発明の概要】
【発明が解決しようとする課題】
【０００７】
上記の特許文献１〜３において、支持レールは３部構成のスライドレールアセンブリの内側レールに接続されていないか又は支持レールとスライドレールアセンブリとの間の接続機構は市場の特定の要求を満たさない場合がある。したがって、異なる製品を開発することが重要である。
【０００８】
本発明はスライドレール機構及びその支持アセンブリを提供する。
【課題を解決するための手段】
【０００９】
本発明の一実施形態によれば、スライドレール機構は第１のスライドレールアセンブリ及び支持アセンブリを含む。第１のスライドレールアセンブリは第１のレールと、第２のレールと、該第１のレール及び該第２のレールの間に可動に取り付けられる第３のレールとを含む。第２のレールは第１のレールに対して長手方向に移動可能である。第１のスライドレールアセンブリの第２のレールは第１の取り付け装置を備える。支持アセンブリは支持部材と、支持部材に配置される第１の接続装置とを含み、第１の接続装置は前記第１の取り付け装置に接続されるように構成されている。
【００１０】
本発明の別の実施形態によれば、支持アセンブリは第１の取り付け装置及び第２の取り付け装置に適用可能である。支持アセンブリは支持部材、第１の接続装置及び第２の接続装置を含む。支持部材は互いに反対側にある第１の部分及び第２の部分を有する。第１の接続装置は第１の部分に隣接して配置されるとともに、第１の取り付け装置と係合するように構成されている。第２の接続装置は第２の部分に隣接して配置されるとともに、第２の取り付け装置と係合するように構成されている。
【００１１】
様々な図面に図示する下記の好ましい実施形態の詳細な説明を読み終えた後、本発明の上記の目的及び他の目的が当業者に間違いなく明らかになる。
【図面の簡単な説明】
【００１２】
【図１】図１は、本発明の一実施形態に係る、保持物体をラックに取り付けるように構成されたスライドレール機構を示す図である。
【図２】図２は、本発明の一実施形態に係るスライドレールアセンブリ及び支持アセンブリの部分分解図である。
【図３】図３は、本発明の一実施形態に係る、取り付け装置及び接続装置を介して互いに接続されたスライドレールアセンブリ及び支持アセンブリを示す部分図である。
【図４】図４は、図３の領域Ａの拡大図である。
【図５】図５は、本発明の一実施形態に係る、取り付け装置及び接続装置を介してお互いから外れたスライドレールアセンブリ及び支持アセンブリを示す部分図である。
【図６】図６は、図５の領域Ａの拡大図である。
【図７】図７は、本発明の一実施形態に係る、取り付け装置及び接続装置を介してスライドレールアセンブリ及び支持アセンブリがお互いから外れた場合に、取り付け装置に対して２つの方向に沿って調節可能な支持アセンブリを示す部分図である。
【図８】図８は、本発明の一実施形態に係る、接続装置が取り付け装置と係合することを通じてスライドレールアセンブリに対して第１の接続位置に位置するように構成された支持アセンブリを示す部分図である。
【図９】図９は、本発明の一実施形態に係る、接続装置が取り付け装置と係合することを通じてスライドレールアセンブリに対して第２の接続位置に位置するように構成された支持アセンブリを示す部分図である。
【図１０】図１０は、本発明の一実施形態に係る、接続装置が取り付け装置と係合することを通じてスライドレールアセンブリに対して第３の接続位置に位置するように構成された支持アセンブリを示す部分図である。
【図１１】図１１は、本発明の一実施形態に係る、支持アセンブリを第１の保持物体から所定の距離離すために、接続装置が取り付け装置と係合することを通じてスライドレールアセンブリに対して第１の接続位置に位置するように構成された支持アセンブリを示す図である。
【図１２】図１２は、本発明の一実施形態に係る、支持アセンブリを第２の保持物体から所定の距離離すために、接続装置が取り付け装置と係合することを通じてスライドレールアセンブリに対して第２の接続位置に位置するように構成された支持アセンブリを示す図である。
【図１３】図１３は、本発明の一実施形態に係る、支持アセンブリを第３の保持物体から所定の距離離すために、接続装置が取り付け装置と係合することを通じてスライドレールアセンブリに対して第３の接続位置に位置するように構成された支持アセンブリを示す図である。
【発明を実施するための形態】
【００１３】
図１に示すように、本発明の一実施形態に係るスライドレール機構は、第１のスライドレールアセンブリ２２及び支持アセンブリ２６を含む。スライドレール機構は第２のスライドレールアセンブリ２４をさらに含むことが好ましい。第１のスライドレールアセンブリ２２及び第２のスライドレールアセンブリ２４のそれぞれは、第１のレール２８及び第２のレール３０を含む。第１のスライドレールアセンブリ２２及び第２のスライドレールアセンブリ２４のそれぞれは、第１のレール２８に対する第２のレール３０の移動距離を伸ばすために、第１のレール２８と第２のレール３０との間に可動に取り付けられる第３のレール３２をさらに含むことが好ましい。本実施形態では、第１のレール２８は外側レール（固定レール）であり、第２のレール３０は内側レールであり、第３のレール３２は中間レールである。第１のレール２８の前部及び後部は、第１のブラケット装置３４及び第２のブラケット装置３６を介してラックの第１のポスト３８及び第２のポスト４０にそれぞれ取り付けられている。他方、第２のレール３０は第３のレール３２を通じて第１のレール２８に対して長手方向に可動であり、第２のレール３０は保持物体４２を取り付けるように構成されている。保持物体４２は電子機器又はシャーシであり得る。第１のレール２８に対して第２のレール３０を引っ込められた状態から伸長された状態に動かすことにより、保持物体４２をラックから引き出すことができる。
【００１４】
第１のスライドレールアセンブリ２２の第２のレール３０及び第２のスライドレールアセンブリ２４の第２のレール３０は第１の取り付け装置４４及び第２の取り付け装置４６をそれぞれ備える。第１の取り付け装置４４の構造構成は、第２の取り付け装置４６の構造構成と実質的に同一（又は対称的）であることが好ましい。
【００１５】
支持アセンブリ２６は、支持部材４７、支持部材４７に配置される第１の接続装置４８及び第２の接続装置５０を含む。第１の接続装置４８及び第２の接続装置５０は第１の取り付け装置４４及び第２の取り付け装置４６にそれぞれ接続される（例えば取り外し可能に接続される）。第１の取り付け装置４４及び第２の取り付け装置４６は、第１のスライドレールアセンブリ２２の第２のレール３０の後端部及び第２のスライドレールアセンブリ２４の第２のレール３０の後端部にそれぞれ隣接して配置されることが好ましい。したがって、支持部材４７が第１の接続装置４８及び第２の接続装置５０を介して第１の取り付け装置４４及び第２の取り付け装置４６に接続されると、支持部材４７は保持物体４２の後ろに位置し、支持部材４７は保持物体４２から所定の距離離れる。例えば、支持部材４７は保持物体４２の後ろにあるケーブルを支持するように構成されている。支持部材４７はケーブルを管理するように構成された少なくとも１つのケーブル管理部４５を有する。本実施形態では、少なくとも１つのケーブル管理部４５は複数の細長い孔であり得る。支持部材４７が保持物体４２の後ろのケーブルを支持する場合、紐又はストラップ（図示せず）を少なくとも１つのケーブル管理部４５に通してケーブルを結束又は固定するために用いることができる。あるいは、追加の収容ボックス（図示せず）を用い、少なくとも１つのケーブル管理部４５と係合させてケーブルを収容又は管理することができる。第１の接続装置４８の構造構成は第２の接続装置５０の構造構成と実質的に同一（又は対称）であることが好ましい。支持部材４７は、第１のスライドレールアセンブリ２２及び第２のスライドレールアセンブリ２４のそれぞれの長手方向に対して実質的に横方向（transversely）に配置されることが好ましい。第１の接続装置４８及び第２の接続装置５０は、支持部材４７の両側の部分に、例えば第１の部分４７ａ及び第２の部分４７ｂにそれぞれ隣接して配置される。具体的には、第１の接続装置４８は支持部材４７の第１の部分４７ａの端部に隣接して配置され、第２の接続装置５０は支持部材４７の第２の部分４７ｂの端部に隣接して配置される。
【００１６】
図２及び図３に示すように、第２のレール３０は第１のレール２８に対して伸長状態にある。第１の取り付け装置４４は第１のスライドレールアセンブリ２２の第２のレール３０の端部（例えば、後端部３０ａ）に隣接して配置される。他方、支持部材４７は前部５８と、後部６０と、前部５８及び後部６０の間に位置する中間部６２を有する。前部５８及び後部６０は中間部６２に実質的に垂直に接続されている。少なくとも１つのケーブル管理部４５が中間部６２に配置されることが好ましい。
【００１７】
第１の取り付け装置４４及び第１の接続装置４８のうちの一方は少なくとも１つの係合部を含む。本実施形態では、第１の取り付け装置４４は第１の係合部位５２ａ、第２の係合部位５２ｂ及び第３の係合部位５２ｃを含むが、本発明はこのような構成に限定されない。第１の係合部位５２ａ、第２の係合部位５２ｂ及び第３の係合部位５２ｃは第１のスライドレールアセンブリ２２及び第２のスライドレールアセンブリ２４のそれぞれの長手方向に沿って互いに離間されていることが好ましい。本実施形態では、係合部位５２ａ、５２ｂ、５２ｃは係合孔である。他方、第１の取り付け装置４４及び第１の接続装置４８のうちの他方は係合部材５４を含む。係合部材５４は第１の係合部位５２ａ、第２の係合部位５２ｂ及び第３の係合部位５２ｃのうちの１つと選択的に係合するように構成されている。本実施形態では、第１の接続装置４８は係合部材５４を含む。係合部材５４は第１の係合部位５２ａ、第２の係合部５２ｂ及び第３の係合部位５２ｃのうちの１つと選択的に係合するように構成された係合部５４ａを含む。係合部５４ａは、係合部５４ａの突起（例えばフック）又は位置決め部材５３を介して第１の係合部位５２ａ、第２の係合部位５２ｂ及び第３の係合部位５２ｃのうちの１つに係合できる。
【００１８】
支持アセンブリ２６は取り付けベース７０及び接続ベース７２をさらに含むことが好ましい。取り付けベース７０は前記少なくとも１つの係合部（例えば、係合部位５２ａ、５２ｂ、５２ｃ）を含む。接続ベース７２はガイド通路７４を通じて取り付けベース７０に可動に取り付けられる。例えば、取り付けベース７０及び接続ベース７２のうちの一方は第１の屈曲壁７６ａと、第２の屈曲壁７６ｂと、第１の屈曲壁７６ａ及び第２の屈曲壁７６ｂの間に接続される側壁７６ｃとを含む。本実施形態では、取り付けベース７０が第１の屈曲壁７６ａ、第２の屈曲壁７６ｂ及び側壁７６ｃを含む。ガイド通路７４は、接続ベース７２を収容するために第１の屈曲壁７６ａ、第２の屈曲壁７６ｂ及び側壁７６ｃにより定義される。取り付けベース７０の側壁７６ｃは少なくとも１つの係合部位（例えば、第１の係合部位５２ａ、第２の係合部位５２ｂ及び第３の係合部位５２ｃ）を備える。
【００１９】
他方、接続ベース７２は孔７８を有する。係合部材５４は接続ベース７２に取り付けられ、係合部材５４の係合部５４ａ（又は位置決め部材５３）は、取り付けベース７０の少なくとも１つの係合部位に、例えば第１の係合部位５２ａ、第２の係合部位５２ｂ又は第３の係合部位５２ｃと係合するように、孔７８に対応する位置に位置する（図４を参照されたい。係合部材５４の係合部５４ａは、位置決め部材５３又は突起を介して取り付けベース７０の第３の係合部位５２ｃと係合するように構成されている）。
【００２０】
係合部材５４は弾性部品であり、係合部材５４は操作部５４ｂ及び接続部５４ｃをさらに含むことが好ましい。接続部５４ｃは操作部５４ｂ及び係合部５４ａの間に位置する。接続部５４ｃは接続ベース７２に接続されている（例えば固定接続されている）。他方、操作部５４ｂは係合部５４ａから延び、操作部５４ｂは接続部５４ｃが支持点（固定点）として作用して係合部５４ａに対して傾斜している。
【００２１】
図３〜図６に示すように、ユーザーが係合部材５４の操作部５４ｂに（図３及び図４に示すように）力Ｆを加えると、係合部５４ａが操作部５４ｂに対して傾斜して（図５及び図６に示すように）弾性力を生成し、係合部５４ａの突起又は位置決め部材５３が少なくとも１つの係合部位から、例えば第１の係合部位５２ａ、第２の係合部位５２ｂ又は第３の係合部位５２ｃから外される（図５及び図６を参照されたい。係合部材５４の係合部５４ａの位置決め部材５３が取り付けベース７０の第３の係合部位５２ｃから外されている）。他方、力Ｆがもはや存在していない場合、弾性力が放たれて操作部５４ｂが駆動され、初期状態に戻る（即ち、図３に示す状態）。
【００２２】
図７に示すように、支持アセンブリ２６の第１の接続装置４８（及び第２の接続装置５０）の係合部材５４の係合部５４ａが少なくとも１つの係合部（例えば、第１の係合部位５２ａ、第２の係合部位５２ｂ又は第３の係合部位５２ｃ）から外れている場合、支持アセンブリ２６は第１の取り付け装置４４（及び第２の取り付け装置４６）に対して第１の方向Ｄ１又は第２の方向Ｄ２に沿って長手に移動可能できるか又は支持アセンブリ２６は第１の取り付け装置４４（及び第２の取り付け装置４６）から第１の方向Ｄ１に沿って外れることができる。第２の方向Ｄ２は第１の方向Ｄ１の反対方向である。
【００２３】
図８、図９及び図１０に示すように、支持アセンブリ２６は第１の取り付け装置４４（及び第２の取り付け装置４６）に対して長手に移動させて（図８に示す）第１の接続位置Ｐ１、（図９に示す）第２の接続位置Ｐ２又は（図１０に示す）第３の接続位置Ｐ３に調節できる。
【００２４】
具体的には、支持アセンブリ２６は、係合部材５４の係合部５４ａ（例えば位置決め部材５３又は突起）が第１の係合部位５２ａと係合することにより、（図８に示す）第１の接続位置Ｐ１で固定することができる。あるいは、支持アセンブリ２６は、係合部材５４の係合部５４ａ（例えば位置決め部材５３又は突起）が第２の係合部位５２ｂと係合することにより、（図９に示す）第２の接続位置Ｐ２で固定することができる。あるいは、支持アセンブリ２６は、係合部材５４の係合部５４ａ（例えば位置決め部材５３又は突起）が第３の係合部位５２ｃと係合することにより、（図１０に示す）第３の接続位置Ｐ３で固定することができる。
【００２５】
図１１に示すように、２つのスライドレールアセンブリ２２、２４のそれぞれの第１のレール２８、第２のレール３０及び第３のレール３２は伸長状態にある（図１１では第１のスライドレールアセンブリ２２のみを示す）。具体的には、第２のレール３０は第１の保持物体４２ａを保持するように構成され、第１の保持物体４２ａは第１の長手方向長さＡ１を有する。電子モジュールは通常第１の保持物体４２ａの後部８０に配置されるため、支持アセンブリ２６の支持部材４７は、ユーザーが電子モジュールのケーブルのコネクタを挿入するか又は取り外すのを支援するために第１の保持物体４２ａの後部８０から所定の距離Ｓ維持するように構成されている。第１の長手方向長さＡ１を有する第１の保持物体４２ａの場合、支持部材４７と第１の保持物体４２ａの後部８０との間で所定の距離Ｓを維持するために支持アセンブリ２６を第１の接続位置Ｐ１へと長手に移動させて調節することができる。
【００２６】
図１２に示すように、第２の長手方向長さＡ２を有する第２の保持物体４２ｂの場合、支持部材４７と第２の保持物体４２ｂの後部８０との間で所定の距離Ｓを維持するために支持アセンブリ２６を第２の接続位置Ｐ２へと長手に移動させて調節することができる。
【００２７】
図１３に示すように、第３の長手方向長さＡ３を有する第３の保持物体４２ｃの場合、支持部材４７と第３の保持物体４２ｃの後部８０との間で所定の距離Ｓを維持するために支持アセンブリ２６を第３の接続位置Ｐ３へと長手に移動させて調節することができる。
【００２８】
支持アセンブリ２６（又は支持アセンブリ２６の支持部材４７）は、長手方向長さが異なる保持物体に対応して異なる位置に調節できる。他の実施形態では、支持アセンブリ２６（又は支持アセンブリ２６の支持部材４７）は、保持物体４２の後部８０と支持アセンブリ２６との間の距離を調節するために異なる位置に調節できる。
【００２９】
したがって、本発明のスライドレール機構及び支持アセンブリは以下のような特徴を有する。
【００３０】
１）支持アセンブリ２６は、スライドレールアセンブリの第２のレール３０（例えば、内側レール）に接続（例えば、取り外し可能に接続）できる。
【００３１】
２）支持アセンブリ２６は、取り付け装置４４、４６に対して異なる接続位置Ｐ１、Ｐ２、Ｐ３に長手方向に調節できる。
【００３２】
３）係合部材５４は弾性部品であり、係合部材５４の接続部５４ｃは支持点として作用できる。したがって、ユーザーは係合部５４ａを少なくとも１つの係合部位から外すために操作部５４ｂを押すだけでよい。全体的に、操作部５４ｂ及び係合部５４ａを有する係合部材５４は、操作されて係合及び係合解除機能を提供するように構成されている。
【００３３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３４】
２２  第１のスライドレールアセンブリ
２４  第２のスライドレールアセンブリ
２６  支持アセンブリ
２８  第１のレール
３０  第２のレール
３２  第３のレール
３４  第１のブラケット装置
３６  第２のブラケット装置
３８  第１のポスト
４０  第２のポスト
４２  保持物体
４４  第１の取り付け装置
４６  第２の取り付け装置
４８  第１の接続装置
５０  第２の接続装置
５２  少なくとも１つの係合部
５４  係合部材
５４ａ  係合部
５４ｂ  操作部
５４ｃ  接続部
５６  操作部材
５８  前部
６０  後部
６２  中間部
６４  溝
６６  ガイド部
６８  接続部材
７０  取り付けベース
７２  接続ベース
７４  ガイド通路
７８  孔
８０  後部
【図１】
2020131003.tif 000003
【図２】
2020131003.tif 000004
【図３】
2020131003.tif 000005
【図４】
2020131003.tif 000006
【図５】
2020131003.tif 000007
【図６】
2020131003.tif 000008
【図７】
2020131003.tif 000009
【図８】
2020131003.tif 000010
【図９】
2020131003.tif 000011
【図１０】
2020131003.tif 000012
【図１１】
2020131003.tif 000013
【図１２】
2020131003.tif 000014
【図１３】
2020131003.tif 000015